(57)【要約】      （修正有）【課題】簡易な構成で、同軸ケーブルの接続にあたっての工程数を低減させつつ電気的接続性の信頼性を向上させることを可能とする。【解決手段】信号コンタクト部材１２に設けたケーブル挿入片１２ｂ１を同軸ケーブルＳＣの内部に差し込んで中心導体と電気的に接続させる一方、ケーブル挿入片１２ｂ１を中心導体に差し込み可能とするように同軸ケーブルＳＣを径方向に案内して位置規制するケーブル案内部１３ｃ１を備えることで、同軸ケーブルＳＣに対するストリップ工程を最小限に抑えつつ信号コンタクト部材１２の接続を容易かつ正確に行うことを可能とし、信号コンタクト部材１２の接続工程を大幅に簡素化すると同時に、同軸ケーブルＳＣの中心導体を切断する可能性のある軸直交方向への移動を無くして中心導体を切断するおそれを回避するように構成したものである。【選択図】図１６
2016025019.tif 000002
【特許請求の範囲】
【請求項１】
同軸ケーブルの中心導体及び外部導体にそれぞれ接続される信号コンタクト部材及びグランドコンタクト部材が、略同心状をなすように絶縁ハウジングに取り付けられたものであって、
前記信号コンタクト部材が、前記同軸ケーブルの中心導体に接続されるケーブル接続部と、嵌合の相手コネクタの信号コンタクト部材に接続されるコンタクト接続部と、を備えた同軸型電気コネクタにおいて、
前記信号コンタクト部材のケーブル接続部が、前記同軸ケーブルの端末部分における端面から当該同軸ケーブルの延在方向であるケーブル軸方向に沿って内部に差し込まれるケーブル挿入片を有し、
当該ケーブル挿入片の差し込み方向における先端側部分が、前記同軸ケーブルの内部において前記中心導体と電気的に接続される構成になされている一方、
前記同軸ケーブルを径方向に案内して位置規制し、前記ケーブル挿入片を前記中心導体に差し込み可能とするケーブル案内部を備えていることを特徴とする同軸型電気コネクタ。
【請求項２】
前記ケーブル案内部が、前記グランドコンタクト部材の一部をなすように形成されたものであって、
前記ケーブル案内部には、前記同軸ケーブルの延在方向に沿って突出するケーブル破断部が設けられ、
前記ケーブル破断部が、前記同軸ケーブルの内部に向かって当該同軸ケーブルの延在方向に挿入されることで、前記外部導体との電気的接続が行われるように構成されていることを特徴とする請求項１記載の同軸型電気コネクタ。
【請求項３】
前記同軸ケーブルの中心導体を覆う誘電体の一部が、前記同軸ケーブルの延在方向において所定の長さＬ２にわたって露出されている一方、
前記信号コンタクト部材又は絶縁ハウジングのいずれか一方と、前記グランドコンタクト部材には、前記ケーブル挿入片及びケーブル破断部が同軸ケーブル内に挿入された際に、前記同軸ケーブルの一部に当接されるケーブル突当部がそれぞれ設けられ、
前記信号コンタクト部材又は絶縁ハウジングに設けられたケーブル突当部と、前記グランドコンタクト部材に設けられたケーブル突当部との間の距離Ｌ１,Ｌ４に対して、前記同軸ケーブルの露出部分の長さＬ２が略等しくなるように設定されている（Ｌ２≒Ｌ１,Ｌ４）ことを特徴とする請求項１記載の同軸型電気コネクタ。
【請求項４】
前記ケーブル案内部は、前記同軸ケーブルを径方向に挟んだ両側に沿って前記グランド部材の本体部から延出する一対のアーム状部材からなり、
前記各ケーブル案内部の延出方向における先端部分に、前記ケーブル破断部が設けられていることを特徴とする請求項２記載の同軸型電気コネクタ。
【請求項５】
前記一対のケーブル案内部に設けられた両ケーブル破断部同士の間の距離Ｌ３は、前記同軸ケーブルの外部導体が有する直径Ｄに略等しくなるように設定されている（Ｌ３≒Ｄ）ことを特徴とする請求項４記載の同軸型電気コネクタ。
【請求項６】
前記絶縁ハウジング及び信号コンタクト部材には、前記同軸ケーブルの中心導体に対して前記ケーブル挿入片が差し込まれる位置を目視可能とする接続確認穴が貫通形成されていることを特徴とする請求項１記載の同軸電気コネクタ。
【発明の詳細な説明】
【技術分野】
【０００１】
本発明は、コネクタ本体部に同軸ケーブルを載置して固定することにより電気的な接続を行うようにした同軸型電気コネクタに関する。
【背景技術】
【０００２】
一般に、携帯電話やスマートフォン或いはタブレット型パソコン等の各種電気機器における信号電送媒体として同軸ケーブルが広く使用されているが、その同軸ケーブルを印刷配線基板に効率的に接続するための電気コネクタとして、同軸型電気コネクタがしばしば採用されている。同軸型電気コネクタは、例えば、絶縁ハウジングの外周側に中空円筒状部材からなるシェル本体部が装着された構造になされており、シェル本体部の円筒開口部に対してシェル蓋部が開閉可能に連結されている。そして、同軸ケーブルの端末処理加工によって露出状態になされた中心導体を、信号コンタクトの載置面上にセットした後に、半田付け又は導体の挟持力によって電気的な接続を行い、さらに開放状態にあったシェル蓋部を押し倒すようにして閉塞することで組み立てを完了する。
【０００３】
しかしながら、このような従来の同軸型電気コネクタにおいては、上述したような同軸ケーブルの端末処理加工が必要となっている。すなわち、同軸ケーブルの電気接続を行う前に、その同軸ケーブルの中心導体や外部導体を取り囲んでいる誘電体や絶縁体を剥ぎ取るストリップ工程を、複数回（例えば３回）行うことによって、中心導体や外部導体を露出状態にしておく必要があり、そのような複数回のストリップ工程を行った後に、半田付け等による接続を行っている。そのため、同軸ケーブルの接続を行うにあたっての工程数が増大する傾向があり、生産性を向上させる上での支障になっている。
【０００４】
一方、下記の特許文献１等に記載された同軸型コネクタでは、同軸ケーブルの絶縁体に対して、切刃状をなす一対の切断用片を軸直交方向に押し付け、それによって一対の切断用片が、絶縁体を切断（破壊）するようにして同軸ケーブルの外部導体や中心導体に接触し、それら一対の切断用片の間の隙間に外部導体や中心導体が挟まれた状態で電気的な接続を行うようにしている。このような同軸型コネクタによれば、絶縁体を剥ぎ取る工程をやや減じて、例えば２回のストリップ工程とすることは可能である。しかしながら、未だ生産性向上の余地があるとともに、切断用片を軸直交方向に押し付けるようにしていることから、外部導体や中心導体を切断してしまうおそれがあり、接続工程の信頼性に問題がある。
【先行技術文献】
【特許文献】
【０００５】
【特許文献１】特開２０１３−９８１２１号公報
【発明の開示】
【発明が解決しようとする課題】
【０００６】
そこで本発明は、簡易な構成で、同軸ケーブルの接続にあたっての工程数を低減させつつ、電気的接続性の信頼性を向上させることができるようにした同軸型電気コネクタを提供することを目的とする。
【課題を解決するための手段】
【０００７】
上記目的を達成するため請求項１にかかる発明では、同軸ケーブルの中心導体及び外部導体にそれぞれ接続される信号コンタクト部材及びグランドコンタクト部材が、略同心状をなすように絶縁ハウジングに取り付けられたものであって、前記信号コンタクト部材が、前記同軸ケーブルの中心導体に接続されるケーブル接続部と、嵌合の相手コネクタの信号コンタクト部材に接続されるコンタクト接続部と、を備えた同軸型電気コネクタにおいて、前記信号コンタクト部材のケーブル接続部が、前記同軸ケーブルの端末部分における端面から当該同軸ケーブルの延在方向であるケーブル軸方向に沿って内部に差し込まれるケーブル挿入片を有し、当該ケーブル挿入片の差し込み方向における先端側部分が、前記同軸ケーブルの内部において前記中心導体と電気的に接続される構成になされている一方、前記同軸ケーブルを径方向に案内して位置規制し、前記ケーブル挿入片を前記中心導体に差し込み可能とするケーブル案内部を備えた構成が採用されている。
【０００８】
このような構成を有する請求項１にかかる同軸型電気コネクタによれば、同軸ケーブルの中心導体に対して信号コンタクト部材のケーブル接続部を接続するにあたって、信号コンタクト部材のケーブル接続部を構成するケーブル挿入片が、同軸ケーブルのケーブル軸方向に沿って内部に挿入されることによって電気的な接続が行われることから、同軸ケーブルの端末処理、すなわち中心導体や外部導体を取り囲んでいる誘電体や絶縁体を剥ぎ取るストリップ工程を最小限に抑えつつ信号コンタクト部材の接続が行われる。その結果、同軸ケーブルに対して信号コンタクト部材を接続するにあたっての工程が大幅に簡素化されると同時に、同軸ケーブルの中心導体を切断する可能性のある軸直交方向への移動が行われないことから、細線状をなす中心導体を切断させるおそれがなくなる。
【０００９】
加えて本発明においては、信号コンタクト部材のケーブル挿入片を同軸ケーブルに挿入するにあたって、同軸ケーブルに対するケーブル案内部の案内作用により、ケーブル挿入片が中心導体に差し込まれる位置に同軸ケーブルが径方向に位置規制されることとなり、中心導体に対するケーブル挿入片の挿入作業が容易かつ正確に行われ、生産性の向上が図られると同時に電気的な接続信頼性が高められる。
【００１０】
また、本発明においては、請求項２のように前記ケーブル案内部が、前記グランドコンタクト部材の一部をなすように形成されたものであって、前記ケーブル案内部には、前記同軸ケーブルの延在方向に沿って突出するケーブル破断部が設けられ、前記ケーブル破断部が、前記同軸ケーブルの内部に向かって当該同軸ケーブルの延在方向に挿入されることで、前記外部導体との電気的接続が行われる構成になされていることが望ましい。
【００１１】
このような構成を有する請求項２にかかる同軸型電気コネクタによれば、信号コンタクト部材のケーブル挿入片が同軸ケーブルの内部に挿入されて信号回路の電気接続が行われると同時に、グランドコンタクト部材のケーブル案内部に設けられたケーブル破断部が、同軸ケーブルの内部に挿入されることによって、グランド回路の電気接続が行われることとなり、グランド部材に対する接続作業が容易化される。
【００１２】
また、本発明においては、請求項３のように、  前記同軸ケーブルの中心導体を覆う誘電体の一部が、前記同軸ケーブルの延在方向において所定の長さＬ２にわたって露出されている一方、前記信号コンタクト部材又は絶縁ハウジングのいずれか一方と、前記グランドコンタクト部材には、前記ケーブル挿入片及びケーブル破断部が同軸ケーブル内に挿入された際に、前記同軸ケーブルの一部に当接されるケーブル突当部がそれぞれ設けられ、前記信号コンタクト部材又は絶縁ハウジングに設けられたケーブル突当部と、前記グランドコンタクト部材に設けられたケーブル突当部との間の距離Ｌ１,Ｌ４に対して、前記同軸ケーブルの露出部分の長さＬ２が略等しくなるように設定されている（Ｌ２≒Ｌ１,Ｌ４）ことが望ましい。
【００１３】
このような構成を有する請求項３にかかる同軸型電気コネクタによれば、信号コンタクト部材のケーブル挿入片の挿入完了位置と、グランドコンタクト部材のケーブル破断部の挿入完了位置とが一致することとなり、同軸ケーブルの挿入作業が、ケーブル長さ方向において干渉等を生じることなく円滑に行われる。
【００１４】
また、本発明においては、請求項４のように、前記ケーブル案内部は、前記同軸ケーブルを径方向に挟んだ両側に沿って前記グランド部材の本体部から延出する一対のアーム状部材からなり、前記各ケーブル案内部の延出方向における先端部分に、前記ケーブル破断部が設けられていることが可能である。
【００１５】
また、本発明においては、請求項５のように、前記一対のケーブル案内部に設けられた両ケーブル破断部同士の間の距離Ｌ３は、前記同軸ケーブルの外部導体が有する直径Ｄに略等しくなるように設定されている（Ｌ３≒Ｄ）ことが望ましい。
【００１６】
このような請求項５にかかる同軸型電気コネクタによれば、グランドコンタクト部材のケーブル破断部に対する同軸ケーブルの外部導体の挿入作業が、相互に位置合わせされた状態で正確かつ容易に行われる。
【００１７】
また、本発明においては、請求項６のように、前記絶縁ハウジング及び信号コンタクト部材には、前記同軸ケーブルの中心導体に対して前記ケーブル挿入片が差し込まれる位置を目視可能とする接続確認穴が貫通形成されていることが望ましい。
【００１８】
このような請求項６にかかる同軸型電気コネクタによれば、グランドコンタクト部材のケーブル破断部の挿入が、目視で確認されることによって正確かつ容易に行われる。
【発明の効果】
【００１９】
以上述べたように本発明は、信号コンタクト部材のケーブル接続部に設けたケーブル挿入片を同軸ケーブルの内部に差し込んで中心導体と電気的に接続させる一方、ケーブル挿入片を中心導体に差し込み可能とするように同軸ケーブルを径方向に案内して位置規制するケーブル案内部を備えることで、同軸ケーブルの端末処理、すなわち中心導体や外部導体を取り囲んでいる誘電体や絶縁体を剥ぎ取るストリップ工程を最小限に抑えつつ信号コンタクト部材の接続を容易かつ正確に行うことを可能とし、信号コンタクト部材の接続工程を大幅に簡素化すると同時に、同軸ケーブルの中心導体を切断する可能性のある軸直交方向への移動を無くして中心導体を切断するおそれを回避するように構成したものであるから、簡易な構成で、同軸ケーブルの接続にあたっての工程数を低減させつつ電気的接続性の信頼性を向上させることができ、同軸型電気コネクタの信頼性を低廉かつ大幅に向上させることができる。
【図面の簡単な説明】
【００２０】
【図１】本発明の第１実施形態にかかる同軸型電気コネクタ（プラグコネクタ）に同軸ケーブルが連結された状態を正面上方側から表した外観斜視説明図である。
【図２】図１に示された同軸ケーブル連結状態の同軸型電気コネクタ（プラグコネクタ）を背面上方側から表した外観斜視説明図である。
【図３】図１及び図２に示された同軸ケーブル連結状態の同軸型電気コネクタ（プラグコネクタ）を表した側面説明図である。
【図４】図１〜図３に示された同軸ケーブル連結状態の同軸型電気コネクタ（プラグコネクタ）を表した平面説明図である。
【図５】図１〜図４に示された同軸ケーブル連結状態の同軸型電気コネクタ（プラグコネクタ）を表した底面説明図である。
【図６】図１〜図５に示された同軸ケーブル連結状態の同軸型電気コネクタ（プラグコネクタ）を表した正面説明図である。
【図７】図１〜図６に示された同軸ケーブル連結状態の同軸型電気コネクタ（プラグコネクタ）の縦断面説明図である。
【図８】図１〜図７に示された同軸型電気コネクタ（プラグコネクタ）に同軸ケーブルが連結される前の初期状態を正面上方側から表した外観斜視説明図である。
【図９】図８に示された初期状態における同軸型電気コネクタ（プラグコネクタ）を背面上方側から表した外観斜視説明図である。
【図１０】図８及び図９に示された初期状態における同軸型電気コネクタ（プラグコネクタ）の側面説明図である。
【図１１】図８及び図９に示された初期状態における同軸型電気コネクタ（プラグコネクタ）の正面説明図である。
【図１２】図８及び図９に示された初期状態における同軸型電気コネクタ（プラグコネクタ）の平面説明図である。
【図１３】図１〜図１２に示された同軸型電気コネクタ（プラグコネクタ）に用いられている信号コンタクト部材を正面上方側から表した外観斜視説明図である。
【図１４】図１〜図１２に示された同軸型電気コネクタ（プラグコネクタ）に用いられている絶縁ハウジングを正面上方側から表した外観斜視説明図である。
【図１５】図１〜図１２に示された同軸型電気コネクタ（プラグコネクタ）に用いられる同軸ケーブルの一例を表した外観斜視説明図である。
【図１６】図１５に示された同軸ケーブルを、本発明の一実施形態にかかる信号コンタクトのケーブル接続部、及び導電性シェルのケーブル破断部に差し込んだ状態を表した外観斜視説明図である。
【図１７】本発明の一実施形態にかかる同軸型電気コネクタ（プラグコネクタ）が嵌合される相手側の電気コネクタ（リセプタクルコネクタ）の一例を、拡大して表した外観斜視説明図である。
【図１８】本発明の一実施形態にかかる同軸型電気コネクタ（プラグコネクタ）が相手コネクタ（リセプタクルコネクタ）に嵌合された同軸型電気コネクタ装置を背面上方側から表した外観斜視説明図である。
【図１９】図１８に示された同軸型電気コネクタ装置を正面上方側から表した外観斜視説明図である。
【図２０】図１８及び図１９に示された同軸型電気コネクタ装置の縦断面説明図である。
【図２１】本発明の第２実施形態にかかる同軸型電気コネクタ（プラグコネクタ）に同軸ケーブルが連結される前の初期状態を正面上方側から表した外観斜視説明図である。
【図２２】図２１に示された初期状態における第２実施形態の同軸型電気コネクタ（プラグコネクタ）の正面説明図である。
【図２３】図２１及び図２２に示された初期状態における第２実施形態の同軸型電気コネクタ（プラグコネクタ）の平面説明図である。
【発明を実施するための形態】
【００２１】
以下、信号伝送媒体として同軸ケーブルを使用する同軸型電気コネクタに本発明を適用した実施形態についての説明を図面に基づいて詳細に行う。
【００２２】
［第１の実施形態における同軸型電気コネクタの全体構造について］
まず、図１〜図１４に示されている本発明の第１の実施形態にかかる同軸型電気コネクタとしてのプラグコネクタ１０は、ケーブル状信号伝送媒体としての同軸ケーブルＳＣの端末部分が連結された状態で使用される構成になされており、所定の印刷配線基板（図示省略）上に実装された相手側の電気コネクタとしてのリセプタクルコネクタ２０（図１７〜図２０参照）に対して、上方から差し込むようにして嵌合又は抜去される構成になされている。その嵌合の相手コネクタの一例としてのリセプタクルコネクタ２０に対するプラグコネクタ１０の嵌合・抜去作業は、印刷配線基板の平面に対して略直交する方向に行われる。
【００２３】
より具体的には、当該プラグコネクタ１０の主たる嵌合部分を構成しているコネクタ本体部は、概略形状において円筒形状をなすように形成されており、その略円筒形状をなすプラグコネクタ１０のコネクタ本体部に対して、径方向外方側の一方向から同軸ケーブルＳＣの端末部が連結され、その同軸ケーブルＳＣが連結された状態で、相手コネクタとしてのリセプタクルコネクタ２０の上方位置に対面するようにプラグコネクタ１０が配置される。そして、当該プラグコネクタ１０の全体が、印刷配線基板の外表面に対して略直交する方向に下降されていくことによってプラグコネクタ１０の下端部分がリセプタクルコネクタ（相手コネクタ）２０の上方側部分に対して嵌合状態になされる（図１８〜図２０参照）。このようにリセプタクルコネクタ２０に対してプラグコネクタ１０が上方から差し込まれた嵌合状態になされることによって、同軸ケーブルＳＣの端末部が、プラグコネクタ１０及びリセプタクルコネクタ２０を介して、印刷配線基板上の配線パターン導電路に接続される。
【００２４】
ここにおいて、リセプタクルコネクタ（相手コネクタ）２０に対してプラグコネクタ１０を差し込む方向を「下方向」とし、それとは反対に抜き出す抜去方向を「上方向」とする。また、プラグコネクタ１０自体において、同軸ケーブルＳＣの端末部が接続される部分を「正面側部分」とするとともに、それとは反対側の部分を「背面側部分」とし、さらにその「背面側部分」から「正面側部分」に向かう方向を「コネクタ前方向」、その逆方向を「コネクタ後方向」とする。また、それらの「コネクタ上下方向」及び「コネクタ前後方向」の双方に直交する方向を「コネクタ左右方向」とする。
【００２５】
［同軸ケーブルについて］
上述した同軸ケーブルＳＣは、特に図１５及び図１６に示されているように、複数本の細線導線で形成されたケーブル中心導体（信号線）ＳＣａの外周側にケーブル誘電体ＳＣｃを介してケーブル外部導体（シールド線）ＳＣｂが同心状に積層されているとともに、ケーブル外部導体（シールド線）ＳＣｂには外周被覆材ＳＣｄが装着されている。このような同心状積層構造からなる同軸ケーブルＳＣの端末部分に対しては、最小限の端末処理が施された状態、すなわち外周被覆材ＳＣｄ及びケーブル外部導体ＳＣｂの引き剥がし（皮剥き）が行われた状態で、プラグコネクタ１０に対する接続が行われる。このようなプラグコネクタ１０に対する同軸ケーブルＳＣの接続構成については、後段において詳細に説明することとする。
【００２６】
そして、上述したように同軸ケーブルＳＣの中心軸に沿って延在するケーブル中心導体（信号線）ＳＣａが、絶縁ハウジング１１に取り付けられた信号コンタクト部材１２に対して、後述のようにケーブル軸方向に沿って接続されることで信号伝送回路が構成される。また、ケーブル中心導体ＳＣａの外周側を取り囲むように配置されたケーブル外部導体（シールド線）ＳＣｂには、グランドコンタクト部材を兼用するシールドシェル１３が、同じくケーブル軸に沿って後述するように接続されることで、当該シールドシェル１３が接地用のグランドコンタクト部材として機能し、グランド回路が構成される。このようなプラグコネクタ１０に対する同軸ケーブルＳＣの接続に関する構成は、本発明の要部として後述する。
【００２７】
［絶縁ハウジングについて］
ここで、上述した絶縁ハウジング１１は、特に図７，８及び図１４に示されているように、略円板形状をなす絶縁本体部１１ａを有しているとともに、その絶縁本体部１１ａの略中心部分には、嵌合相手であるリセプタクルコネクタ２０の内方側に挿入される絶縁挿入部１１ｂが、略円筒状をなして下方に突出するように一体的に設けられている。この絶縁挿入部１１ｂの中心部分には、後述する相手側の電気コネクタとしてのリセプタクルコネクタ２０（図１７〜図２０参照）に設けられた信号コンタクト部材２２が挿入される相手コンタクト挿入穴１１ｂ１が、当該絶縁挿入部１１ｂを上下方向に貫通するように形成されている。
【００２８】
また、絶縁本体部１１ａには、後述する信号コンタクト部材１２が、上面を露出させた埋設状態で取り付けられている。その信号コンタクト部材１２が埋設固定された絶縁本体部１１ａの平面略中央部分には、同軸ケーブルＳＣが収容される凹部からなるケーブル受け部１１ｃが、段差状をなして窪むように設けられている。このケーブル受け部１１ｃは、同軸ケーブルＳＣの延在方向であるコネクタ前後方向に沿って延在するように形成されており、当該凹部からなるケーブル受け部１１ｃの底面部分には、後述する信号コンタクト部材１２の平板状の固定部分（コンタクト本体板１２ａ）が、上方側に露出するように取り付けられている。
【００２９】
その信号コンタクト部材１２の平板状固定部分（後述のコンタクト本体板１２ａ）には、特に図１６及び図２０に示されているように、外周被覆材ＳＣｄ及びケーブル外部導体（シールド線）ＳＣｂが引き剥がされて皮剥きが行われた同軸ケーブルＳＣが上方から載置されるようにしてセットされる。信号コンタクト部材１２の平板状固定部分に載置された同軸ケーブルＳＣは、後述するように信号コンタクト部材１２に対してケーブル軸方向に差し込まれた状態で、絶縁本体部１１ａに設けられたケーブル受け部１１ｃの内部に収容される。
【００３０】
ケーブル受け部１１ｃの内部に収容された同軸ケーブルＳＣは、上述したように外周被覆材ＳＣｄとケーブル外部導体（シールド線）ＳＣｂが引き剥がされた状態になされており、その皮剥きによって露出状態になされた同軸ケーブルＳＣのケーブル誘電体ＳＣｃの上方側部分が、後述するシールドシェル１３のシェル蓋部（グランド蓋部）１３ｂによって覆われる構成になされている。
【００３１】
［信号コンタクト部材について］
本実施形態において採用されている信号コンタクト部材１２は、特に図７及び図１３に示されているような全体構造を有しており、前述した絶縁ハウジング１１の絶縁本体部１１ａに、例えば上方側より圧入されることにより取り付けられている。この信号コンタクト部材１２のうち、上述したように同軸ケーブルＳＣが載置される平板状固定部分は、帯板状部材から形成されたコンタクト本体板１２ａになされている。このコンタクト本体板１２ａは、上述したようにして絶縁本体部１１ａに凹設されたケーブル受け部１１ｃの底面部分に、当該コンタクト本体板１２ａの上側表面が露出した状態で埋設されている。この信号コンタクト部材１２のコンタクト本体板１２ａは、ケーブル受け部１１ｃの底面に沿ってコネクタ前後方向に延在するように配置されている。
【００３２】
上述した信号コンタクト部材１２のコンタクト本体板１２ａには、略中央部分に接続確認穴とされる監視穴１２ａ１が上下方向に貫通するように形成されており、当該監視穴１２ａ１と、前述した絶縁ハウジング１１に設けられたコンタクト挿入穴１１ｂ１を通して、ケーブル受け部１１ｃの内部に収容された同軸ケーブルＳＣの載置状態が目視で確認されるようになっている。
【００３３】
また、そのコンタクト本体板１２ａにおけるコネクタ後端部分（図７の左端部分）には、当該コンタクト本体板１２ａから上方に立ち上がるようにしてケーブル接続部１２ｂが連設されている。このケーブル接続部１２ｂは、コンタクト本体板１２ａのコネクタ後端部から上方に立ち上がりながらコネクタ前方側（図７の右方側）に向かって湾曲状をなすように折り返されており、そのコネクタ前方側に折り返された部分は、略水平に延出するケーブル挿入片１２ｂ１に連設されている。
【００３４】
ケーブル挿入片１２ｂ１は、細板状をなす突起部材から形成されており、当該ケーブル挿入片１２ｂ１の突出方向における先端部分（図７の右方側部分）が、上述したコンタクト本体板１２ａの上方部分において平板状の針形状をなすように延在している。そのケーブル挿入片１２ｂ１の先端部分は、上述したケーブル受け部１１ｃの内部空間に向かって突出するように配置されていて、このようなケーブル挿入片１２ｂ１の先端部分が、後述するようにして同軸ケーブルＳＣの内部に差し込まれ、それによってケーブル中心導体（信号線）ＳＣａに対する接続が行われる。
【００３５】
すなわち、本実施形態におけるケーブル中心導体（信号線）ＳＣａは、例えば複数本の微細線を束にした構成になされており、上述した信号コンタクト部材１２のケーブル挿入片１２ｂ１が、ケーブル中心導体（信号線）ＳＣａの内部に向かって容易に入り込むことが可能な状態となっている。そして、図１５に示されているように、外周被覆材ＳＣｄとケーブル外部導体（シールド線）ＳＣｂが引き剥がされて皮剥きされた同軸ケーブルＳＣの先端側の端面に対して、上述した信号コンタクト部材１２のケーブル挿入片１２ｂ１が、同軸ケーブルＳＣの延在方向であるケーブル軸方向に沿って差し込まれる。これによって、図７及び図１６に示されているように、当該信号コンタクト部材１２のケーブル挿入片１２ｂ１は、ケーブル中心導体（信号線）ＳＣａを構成している複数本の微細線と電気的な接触状態となる。
【００３６】
このとき、上述したケーブル挿入片１２ｂ１の根本部分には、径方向外方側の両側に向かって張り出すケーブル突当部とされる段差係止部１２ｂ２，１２ｂ２が、段差形状をなすように設けられており、ケーブル挿入片１２ｂ１が同軸ケーブルＳＣの内部に差し込まれた際に、同軸ケーブルＳＣの先端側の端面が、段差係止部１２ｂ２に当接し、そのときの当接力によって同軸ケーブルＳＣがコネクタ前後方向（ケーブル延在方向）に位置決めされるようになっている。
【００３７】
また、このときの同軸ケーブルＳＣの端末部分は、上述したようにケーブル外部導体（シールド線）ＳＣｂ及びそのケーブル外部導体（シールド線）ＳＣｂを取り囲んでいる外周被覆材ＳＣｄが剥ぎ取られて皮剥きされた状態になされているが、そのような同軸ケーブルＳＣの端末部分に対して、信号コンタクト部材１２のケーブル挿入片１２ｂ１は、支障なく挿入されて良好な接触状態となる。このように同軸ケーブルＳＣが皮剥きされている領域は、例えば図７に示されているように、予め定められた所定の長さ「Ｌ２」を備えるように設定されているが、その皮剥きされている領域の長さ「Ｌ２」の寸法関係については、後段において詳細に説明する。
【００３８】
一方、信号コンタクト部材１２に平板状をなすように設けられたコンタクト本体板１２ａは、前述したように略水平に延在しているが、そのコンタクト本体板１２ａの両側端縁部には、同じく平板状をなす一対の相手コンタクト接続部１２ｃ，１２ｃが、下方に向かって略直角に折れ曲がって突出するように連設されている。これらの両相手コンタクト接続部１２ｃ，１２ｃは、絶縁ハウジング１１の絶縁挿入部１１ｂに設けられた相手コンタクト挿入穴１１ｂ１の内側壁面に沿って下方に延出しており、径方向（コネクタ幅方向）に互いに対向する配置関係になされている。これらのプラグコネクタ１０側に設けられた両相手コンタクト接続部１２ｃ，１２ｃは、リセプタクルコネクタ（相手コネクタ）２０にプラグコネクタ１０が嵌合された際に（図２０参照）、リセプタクルコネクタ２０側にピン形状をなすように設けられたコンタクト接続部２２ａに対して、外方側から弾性的に接触する構成になされている。リセプタクルコネクタ２０の構造については後述する。
【００３９】
［シールドシェルについて］
また、上述した絶縁本体部１１ａ及び絶縁挿入部１１ｂを有する絶縁ハウジング１１の外側表面には、薄板金属状部材からなるグランドコンタクト部材としてのシールドシェル１３の主たる嵌合部分を構成しているシェル本体部１３ａが、絶縁ハウジング１１を覆うように装着されている。このシェル本体部１３ａは、絶縁ハウジング１１の絶縁本体部１１ａを径方向外方側から環状に覆うように形成された略中空円筒形状を有している。さらに、このシェル本体部１３ａの下方側部分は、リセプタクルコネクタ（相手コネクタ）２０に外方側から嵌合されるシェル挿入部１３ａ１になされているとともに、当該シェル本体部１３ａの上端側の円筒開口部分には、絶縁本体部１１ａの上面側を覆うシェル蓋部（グランド蓋部）１３ｂが、開閉可能に連結されている。
【００４０】
このとき、同軸ケーブルＳＣの端末部分を接続して固定する前の初期状態におけるシールドシェル１３は、特に図８〜図１２に示されているように、上述したシェル本体部１３ａに対してシェル蓋部１３ｂが上方側へ開放された状態になされている。すなわち、当該初期状態におけるシェル蓋部１３ｂは、シェル本体部１３ａの後方側端縁部分に、細幅の板状部材からなる繋ぎ部材１３ｂ１を介して略鉛直上方に立ち上がるように配置されている。この繋ぎ部材１３ｂ１の設置位置及び設置個数は任意に選定することが可能である。
【００４１】
そして、このシールドシェル１３の開放状態（初期状態）において、前述したように一部の皮剥きがなされた同軸ケーブルＳＣの端末部分が、絶縁ハウジング１１のケーブル受け部１１ｃに対して上方側から載置されるようにして収容され、当該同軸ケーブルＳＣの端末部分が、信号コンタクト部材１２のケーブル挿入片１２ｂ１に差し込まれて接続状態になされることによって、同軸ケーブルＳＣの端末部分がプラグコネクタ１０にセット状態になされる。次いで、シールドシェル１３の繋ぎ部材１３ｂ１が下方側に向かって略直角に折り曲げられるようにして、当該シェル蓋部１３ｂが略水平状態まで押し倒され、それによってシェル本体部１３ａ及び絶縁本体部１１ａが、シェル蓋部１３ｂにより上方側から覆われ、シールドシェル１３が閉塞状態になされる（図１〜図７参照）。
【００４２】
このときのシェル蓋部１３ｂは、上述したように略水平状態まで押し倒されて閉塞された際に、シェル本体部１３ａの上端側の円筒開口部分を覆うように被せられる構造になされているが、その略水平状態まで押し倒されたシェル蓋部１３ｂの正面側部分には、同軸ケーブルＳＣを上方側から覆う前方カバー部１３ｂ２が一体的に連設されている。この前方カバー部１３ｂ２は、前述したシェル本体部１３ａのコネクタ前方側部分を上方側から覆う構成になされていて、そのシェル本体部１３ａのコネクタ前方側部分に、当該シェル本体部１３ａから前方に向かって突出するケ一ブル支持部１３ｃが設けられている。このケ一ブル支持部１３ｃは、上方に開放された樋構造をなして延出しており、当該樋構造をなすケ一ブル支持部１３ｃの内方空間に、同軸ケーブルＳＣの端末部分が上方側から載置される構成になされている。この樋構造をなすケ一ブル支持部１３ｃの上方開口部分は、上述したようにシェル蓋部１３ｂの前方カバー部１３ｂ２によって上方から覆われる。
【００４３】
より詳細に説明すると、前述した樋構造をなすケ一ブル支持部１３ｃは、シェル本体部１３ａの正面側部分に設けられた開口部から、正面略Ｕ字形状をなしてコネクタ前方側に向かって片持ち状に突出するように形成されており、当該ケ一ブル支持部１３ｃにより形成される断面略Ｕ字状の内部空間が、コネクタ前後方向に略水平に延在する構成になされている。そして、そのケ一ブル支持部１３ｃの内部空間に、前述した同軸ケーブルＳＣの端末部分のうちの皮剥き処理がなされていない領域が略水平に延在するように配置されている。
【００４４】
すなわち、前述したように同軸ケーブルＳＣの端末部分のうちの皮剥き処理が施された先端側の領域は、絶縁ハウジング１１のケーブル受け部１１ｃ内に収容されることでセット状態になされるが、皮剥きがなされている先端側の領域より奥側の皮剥きがなされていない状態の同軸ケーブルＳＣは、シェル本体部１３ａのケ一ブル支持部１３ｃにより受けられる。そのときのケ一ブル支持部１３ｃは、同軸ケーブルＳＣを下方側から受けるようにして当該同軸ケーブルＳＣの下半側の外表面に沿って延在しており、当該ケ一ブル支持部１３ｃの内部空間を形成している内壁面が、同軸ケーブルＳＣの外周被覆材ＳＣｄを、左右方向の両側及び下方側の三方から覆う配置関係になされている。
【００４５】
［ケーブル案内部の構成について］
このように同軸ケーブルＳＣの端末部分のうちの皮剥きがなされていない奥側の領域を下方側から覆うように構成されたケ一ブル支持部１３ｃの両側側壁部は、同軸ケーブルＳＣの端末部分の外周表面に対して接触する一対のケーブル案内部１３ｃ１，１３ｃ１になされている。これらの両ケーブル案内部１３ｃ１，１３ｃ１は、同軸ケーブルＳＣを径方向の両側から挟むようにコネクタ幅方向に対向配置されたアーム状部材からそれぞれ形成されており、これらの両ケーブル案内部１３ｃ１，１３ｃ１によって、同軸ケーブルＳＣが径方向に案内されることで同軸ケーブルＳＣの位置規制が行われるようになっている。そして、そのときのケーブル案内部１３ｃ１，１３ｃ１の位置規制作用により、ケーブル挿入片１２ｂ１に対して同軸ケーブルＳＣの中心導体（信号線）ＳＣａが正確に対面するように位置合わせされ、それによって同軸ケーブルＳＣの中心導体ＳＣａが、ケーブル挿入片１２ｂ１に正確な対面状態になされて、容易に差し込み可能となる。
【００４６】
［ケーブル破断部の構成について］
また、上述したケ一ブル支持部１３ｃの両側側壁部により形成されたケーブル案内部１３ｃ１，１３ｃ１の延出方向における先端部分には、一対の尖塔状突起部分からなるケーブル破断部１３ｄ，１３ｄが設けられている。これらのケーブル破断部１３ｄ，１３ｄを構成している一対の尖塔状突起部分は、上述したケ一ブル支持部１３ｃから略水平に矢先形状をなすように突出しており、そのケーブル破断部１３ｄ，１３ｄの先端部分に対して、同軸ケーブルＳＣのケーブル外部導体（シールド線）ＳＣｂが対面状態に配置された後に、例えば複数本の微細線を束にした構成になされたケーブル外部導体（シールド線）ＳＣｂの内部に、上述したケーブル破断部１３ｄ，１３ｄが差し込まれるようになっている。
【００４７】
このように同軸ケーブルＳＣの内部に差し込まれた各ケーブル破断部１３ｄの切り刃状部分は、同軸ケーブルＳＣの外周被覆材ＳＣｄを破断しながら内方に進入していき、ケーブル外部導体（シールド線）ＳＣｂに接触することとなる。その結果、ケーブル破断部１３ｄを介在して、ケーブル外部導体（シールド線）ＳＣｂがシールドシェル１３に電気的に接続された状態となり、グランド回路が形成される。
【００４８】
このとき、特に図１２に示されているように、上述した一対のケーブル破断部１３ｄ，１３ｄ同士の間の距離Ｌ３は、同軸ケーブルＳＣのケーブル外部導体（シールド線）ＳＣｂが有する直径Ｄ（図７参照）に略等しくなるように設定されている（Ｌ３≒Ｄ）。これによって、同軸ケーブルＳＣのケーブル外部導体（シールド線）ＳＣｂのケーブル破断部１３ｄ，１３ｄに対する挿入作業が、位置合わせされた状態で正確かつ容易に行われる。
【００４９】
一方、上述した各ケーブル破断部１３ｄの根本部分には、径方向の外方側に向かって張り出すケーブル突当部とされる段差係止部１３ｄ１がそれぞれ段差状をなすように形成されており、それらの各ケーブル破断部１３ｄが、同軸ケーブルＳＣの内部に差し込まれた際に、同軸ケーブルＳＣにおける皮剥きの境界部分が段差係止部１３ｄ１に当接することとなり、それによって同軸ケーブルＳＣがコネクタ前後方向（ケーブル延在方向）に位置決めされるようになっている。
【００５０】
このように同軸ケーブルＳＣの端末部分の接続にあたっては、ケーブル中心導体（信号線）ＳＣａが信号コンタクト部材１２のケーブル挿入片１２ｂ１に差し込まれるとともに、ケーブル外部導体（シールド線）ＳＣｂがケーブル破断部１３ｄ，１３ｄに差し込まれる構成になされている。そして、それらのケーブル挿入片１２ｂ１及びケーブル破断部１３ｄ，１３ｄに差し込まれる同軸ケーブルＳＣは、前述したようにケーブル挿入片１２ｂ１に設けられた段差係止部（ケーブル突当部）１２ｂ２と、ケーブル破断部１３ｄに設けられた段差係止部（ケーブル突当部）１３ｄ１とにそれぞれ当接し、それによって差し込み方向の位置決めが行われる。
【００５１】
すなわち、特に図７に示されているように、同軸ケーブルＳＣの端末部分に対する部分的な皮剥き処理で、外周被覆材ＳＣｄ及びケーブル外部導体（シールド線）ＳＣｂが皮剥きされている領域の長さ「Ｌ２」は、図１２に示されているようなケーブル挿入片１２ｂ１の段差係止部（ケーブル突当部）１２ｂ２と、ケーブル破断部１３ｄの段差係止部（ケーブル突当部）１３ｄ１との間の距離「Ｌ１」に対して、略等しい長さとなるように設定されている（Ｌ２≒Ｌ１）。
【００５２】
そして、このような寸法関係が設定されていることによって、信号コンタクト部材１２のケーブル挿入片１２ｂ１に対する同軸ケーブルＳＣの挿入完了位置と、シールドシェル（グランドコンタクト部材）１３のケーブル破断部１３ｄに対する同軸ケーブルＳＣの挿入完了位置とが略一致することとなる。その結果、同軸ケーブルＳＣの挿入作業が、ケーブル長さ方向において干渉等を生じることなく円滑に行われる。
【００５３】
［固定保持板について］
一方、前述したようにシェル蓋部１３ｂに連設された前方カバー部１３ｂ２の両側縁部には、一対の舌片状部材からなる第１固定保持板１３ｂ３および第２固定保持板１３ｂ４が、フランジ板状をなすように設けられている。そのうちの第１固定保持板１３ｂ３は、同軸ケーブルＳＣが載置されているケ一ブル支持部１３ｃを下方側から覆うように折り曲げられることによりカシメ固定される構成になされている。この第１固定保持板１３ｂ３，１３ｂ３の曲げ変形は、当該第１固定保持板１３ｂ３，１３ｂ３がケ一ブル支持部１３ｃにカシメ固定された時点で規制される。すなわち、これら一対の第１固定保持板１３ｂ３，１３ｂ３を構成している両側フランジ板は、シェル蓋部１３ｂが略水平状態まで押し倒された際に、ケ一ブル支持部１３ｃの両側外方位置に配置され、そのような配置状態からコネクタ内方側に折り曲げられることによりカシメ固定が行われる（図１〜図７参照）。
【００５４】
さらに、第２固定保持板１３ｂ４は、上述した第１固定保持板１３ｂ３の前方側に隣接して並列するように設けられており、第１固定保持板１３ｂ３と同様にフランジ板状をなすように形成されている。この第２固定保持板１３ｂ４は、同軸ケーブルＳＣにおける外周被覆材ＳＣｄの単体を外方側から覆うように折り曲げられる。すなわち、当該第２固定保持板１３ｂ４を構成している両側フランジ板は、シェル蓋部１３ｂが略水平状態まで押し倒された際に、同軸ケーブルＳＣにおける外周被覆材ＳＣｄが単体で延在する位置に配置され、その状態からカシメを行うようにコネクタ内方側に折り曲げられることによって、同軸ケーブルＳＣの外周被覆材ＳＣｄに対するシェル蓋部１３ｂの固定が行われる。
【００５５】
また、前述したようにシールドシェル１３におけるシェル本体部１３ａの下方側部分を構成しているシェル挿入部１３ａ１は、嵌合相手であるリセプタクルコネクタ２０の径方向外方側部分に外嵌される構成になされている（図１８〜図２０参照）。このシェル挿入部１３ａ１の挿入側部分（下端部分）には、径方向内方側に向かって突出する環状凹溝からなる連結係合部が形成されており、前述したようにシェル蓋部１３ｂが略水平状態まで押し倒された後に、当該シェル挿入部１３ａ１の連結係合部が、嵌合相手であるリセプタクルコネクタ２０に設けられた連結係止部に対して弾性的な嵌合関係になされるようになっている。
【００５６】
さらに、本実施形態においては、上述したシェル蓋部１３ｂの内側の壁面に、略直線状に延在するケーブル収容溝１３ｂ５が凹設されている。このケーブル収容溝１３ｂ５は、同軸ケーブルＳＣの端末部分の上方に沿って、略円弧状の断面形状をなして延在しており、当該ケーブル収容溝１３ｂ５の内部に、同軸ケーブルＳＣの上方側部分が収容されることによって、シェル蓋部１３ｂを閉塞した場合におけるコネクタ高さが低減されるとともに、ケーブル収容溝１３ｂ５と同軸ケーブルＳＣとの隙間によって形成された空気層により信号伝送におけるインピーダンスの調整も行われる。
【００５７】
［相手コネクタについて］
一方、嵌合の相手コネクタであるリセプタクルコネクタ２０は、図１７〜図２０に示されているように、印刷配線基板（図示省略）上に載置される平面略矩形状をなすベース状枠体からなる絶縁ハウジング２１を有しており、その絶縁ハウジング２１の中心部分に、信号伝送用の信号コンタクト部材２２が装着されている。また、その信号コンタクト部材２２に対して半径方向の外方側を環状に取り囲むようにして接地用のグランドコンタクト部材２３が装着されている。
【００５８】
［信号コンタクト部材の構成について］
信号コンタクト部材２２は、所定の薄厚金属部材から形成されたものであるが、上述した絶縁ハウジング２１の略中心に相当する位置に、中空状のピン形状をなすコンタクト接続部２２ａが上方に立ち上がるように配置されているとともに、そのコンタクト接続部２２ａの下端部から外方側に向かって基板接続脚部２２ｂが延出している。絶縁ハウジング２１の略中心部分に配置されたコンタクト接続部２２ａの外方側には、前述したプラグコネクタ１０の信号コンタクト部材１２に平板状をなすように設けられた一対の相手コンタクト接続部１２ｃ，１２ｃが径方向に挟むように嵌め込まれ、両者が弾性的に接触することによって電気的な接続が行われる構成になされている。
【００５９】
また、上述したように信号コンタクト部材２２のコンタクト接続部２２ａから延出している基板接続脚部２２ｂは、絶縁ハウジング２１の底面に沿って延在する帯板状部材から形成されており、絶縁ハウジング２１の一端縁から外方側に向かって突出している。この基板接続脚部２２ｂの外方側突出部分または当該基板接続脚部２２ｂの全体は、図示しない印刷配線基板上に形成された信号伝送用の信号導電路に対して半田接合される。
【００６０】
［グランドコンタクト部材の構成について］
さらに、グランドコンタクト部材２３も、例えば所定の薄厚金属板の折り曲げ部材から形成されており、略円筒状の中空形状をなすように形成されたグランド本体部を有しているとともに、当該円環状をなすグランド本体部の外周部分における下縁には、複数のグランド接続脚部２３ａが半径方向の外方側に向かって一体的に延出するように設けられている。これらのグランド接続脚部２３ａは、図示しない印刷配線基板上に形成されたグランド接続用のグランド導電路に対してそれぞれ半田接合される。
【００６１】
このような構成を有する本実施形態によれば、同軸ケーブルＳＣのケーブル中心導体（信号線）ＳＣａに対して信号コンタクト部材１２のケーブル接続部１２ｂを接続するにあたって、信号コンタクト部材１２のケーブル接続部１２ｂを構成するケーブル挿入片１２ｂ１が、同軸ケーブルＳＣのケーブル軸方向に沿って内部に挿入されることにより電気的な接続が行われることとなる。それにより、同軸ケーブルＳＣの端末処理、すなわちケーブル中心導体（信号線）ＳＣａやケーブル外部導体（シールド線）ＳＣｂを取り囲んでいる誘電体や絶縁体を剥ぎ取るストリップ工程を最小限に抑えつつ、信号コンタクト部材１２の接続が行われる。その結果として、同軸ケーブルＳＣに対して信号コンタクト部材１２を接続するにあたっての工程が大幅に簡素化されると同時に、同軸ケーブルＳＣのケーブル中心導体（信号線）ＳＣａを切断する可能性のある軸直交方向への移動が行われないことから、細線状をなす中心導体を切断させるおそれがなくなる。
【００６２】
加えて本実施形態では、信号コンタクト部材１２のケーブル挿入片１２ｂ１を同軸ケーブルＳＣに挿入するにあたって、同軸ケーブルＳＣに対するケーブル案内部１３ｃ１の案内作用により、ケーブル挿入片１２ｂ１がケーブル中心導体（信号線）ＳＣａに差し込まれる位置に同軸ケーブルＳＣが径方向に位置規制される。その結果、ケーブル中心導体（信号線）ＳＣａに対するケーブル挿入片１２ｂ１の挿入作業が容易かつ正確に行われ、生産性の向上が図られると同時に電気的な接続信頼性が高められる。
【００６３】
また、本実施形態においては、信号コンタクト部材１２のケーブル挿入片１２ｂ１が、同軸ケーブルＳＣの内部に挿入されて信号回路の電気接続が行われると同時に、グランドコンタクト部材としてのシールドシェル１３のケーブル案内部１３ｃ１に設けられたケーブル破断部１３ｄが、同軸ケーブルＳＣの内部に挿入されることによって、グランド回路の電気接続が行われることから、グランド部材に対する接続作業が容易化される。
【００６４】
このとき、ケーブル挿入片１２ｂ１の段差係止部（ケーブル突当部）１２ｂ２、及びケーブル破断部１３ｄの段差係止部（ケーブル突当部）１３ｄ１によって、信号コンタクト部材１２のケーブル挿入片１２ｂ１の挿入完了位置と、シールドシェル１３のケーブル破断部１３ｄの挿入完了位置とが一致した状態になされることから、同軸ケーブルＳＣの挿入作業が、ケーブル長さ方向において干渉等を生じることなく円滑に行われる。
【００６５】
さらに、本実施形態によれば、一対のケーブル案内部１３ｃ１，１３ｃ１に設けられた両ケーブル破断部１３ｄ，１３ｄに対して、同軸ケーブルＳＣのケーブル外部導体（シールド線）ＳＣｂの挿入作業が、位置合わせされた状態で正確かつ容易に行われる。
【００６６】
加えて、本実施形態によれば、絶縁ハウジング１１及び信号コンタクト部材１２に設けられた相手コンタクト挿入穴１１ｂ１及び監視穴１２ａ１を通して、同軸ケーブルＳＣのケーブル中心導体（信号線）ＳＣａに対するケーブル挿入片１２ｂ１の差し込み状態が目視されることから、接続作業が正確かつ容易に行われる。
【００６７】
［第２の実施形態について］
一方、上述した第１の実施形態と同一の構成部材に対して同一の符号を付した図２１〜図２３に示された第２の実施形態において採用されている信号コンタクト部材３２は、絶縁ハウジング３１の絶縁本体部３１ａに、例えばインサート成形等により取り付けられているが、その絶縁本体部３１ａの中心部分には、当該信号コンタクト部材３２の本体部分が埋設されている。
【００６８】
その絶縁ハウジング３１に埋設された信号コンタクト部材３２の本体部分には、コネクタ前方側部分に向かって突出するケーブル挿入片３２ｂ１が一体的に連接されている。このケーブル挿入片３２ｂ１は、上述した同軸ケーブルＳＣの内部に差し込まれるものであって、信号コンタクト部材３２の本体部分からコネクタ前方側に向かって略水平に延出する細板状の突起部材から形成されており、当該ケーブル挿入片３２ｂ１における延出方向の先端側部分が、上述した絶縁本体部３１ａのコネクタ前方側の壁面を形成している本体前端面３１ａ１から前方に向かって尖塔形状をなして突出する配置関係になされている。そして、当該信号コンタクト部材３２のケーブル挿入片３２ｂ１に対して、同軸ケーブルＳＣの端末部分が近接するようにして差し込まれ、それによってケーブル挿入片３２ｂ１の先端部分が、ケーブル中心導体（信号線）ＳＣａに接続される構成になされている。
【００６９】
このときのケーブル挿入片３２ｂ１は、シールドシェル（グランドコンタクト部材）１３に設けられた一対のケーブル破断部１３ｄ，１３ｄの間部分に配置されており、これらのケーブル挿入片３２ｂ１と各ケーブル破断部１３ｄとが、ケーブル延在方向（コネクタ前後方向）及びコネクタ嵌合方向（上下方向）の双方において略同位置となるように配置されている。このような配置関係としておけば、当該ケーブル挿入片３２ｂ１及びケーブル破断部１３ｄ１が、同軸ケーブルＳＣのケーブル中心導体（信号線）ＳＣａ及びケーブル外部導体（シールド線）ＳＣｂに対して、ほぼ同位置で差し込まれることとなり、同軸ケーブルＳＣの端末処理を最小限に省略することが可能となる。
【００７０】
この点を具体的に説明すると、ケーブル挿入片３２ｂ１に対して同軸ケーブルＳＣを差し込むにあたっては、まず当該同軸ケーブルＳＣの外周被覆材ＳＣｄ及びケーブル外部導体（シールド線）ＳＣｂを所定の長さにわたって剥離する端末処理を行い、それにより露出状態になされたケーブル誘電体ＳＣｃの先端側の端面を、上述した絶縁ハウジング３１の本体前端面３１ａ１に突き当てることにより、同軸ケーブルＳＣを差し込むにあたっての位置決めとすることが可能である。同様に、同軸ケーブルＳＣの外周被覆材ＳＣｄ及びケーブル外部導体（シールド線）ＳＣｂの剥離時の切断により形成された環状の端面を、ケーブル破断部１３ｄの段差係止部（ケーブル突当部）１３ｄ１突き当てることによっても、同軸ケーブルＳＣの差し込みの位置決めとすることが可能である。
【００７１】
従って、同軸ケーブルＳＣを、ケーブル挿入片３２ｂ１及びケーブル破断部１３ｄ１に差し込むにあたっては、特に図２３に示されているように、同軸ケーブルＳＣの端末処理における剥離長さを、絶縁ハウジング３１の本体前端面３１ａ１から、ケーブル破断部１３ｄの段差係止部（ケーブル突当部）１３ｄ１までの距離Ｌ４に等しくなるように設定する。そのような寸法関係としておけば、ケーブル挿入片３２ｂ１及びケーブル破断部１３ｄ１に対する同軸ケーブルＳＣの差し込み動作が、ほぼ同時に完了することとなり、同軸ケーブルＳＣの挿入作業が干渉等を生じることなく円滑に行われる。
【００７２】
このとき、本実施形態におけるケーブル挿入片３２ｂ１は、第１の実施形態のものよりもコネクタ前方側に配置されており、そのケーブル挿入片３２ｂ１に対する同軸ケーブルＳＣの挿入作業が、ケーブル案内部１３ｃ１の近傍で行われる配置関係になされている。その結果、同軸ケーブルＳＣを挿入する際に、当該同軸ケーブルＳＣに対するケーブル案内部１３ｃ１による左右方向のガイド性を向上させることが可能となる。
【００７３】
更に、本実施形態においては、信号コンタクト部材３２が埋設された絶縁本体部３１ａの上側表面に、当該絶縁本体部３１ａの上側表面を窪ませるようにしてインピーダンス整合部３１ｃが凹設されている。本実施形態におけるインピーダンス整合部３１ｃは、平面多角形状の凹部をなすように形成されている。一方、絶縁本体部３１ａの上方側を覆うシェル蓋部１３ｂの内側表面には、同軸ケーブルＳＣの上方側部分を収容するケーブル収容溝１３ｂ６が凹設されているが、そのケーブル収容溝１３ｂ６の端部に相当する領域は、上述したインピーダンス整合部３１ｃと同様な形状及び大きさをなすように形成されている。
【００７４】
そして、絶縁ハウジング３１側のインピーダンス整合部３１ｃに対して、シールドシェル（グランドコンタクト部材）１３側のケーブル収容溝１３ｂ６が上方側から重なり合うように装着された際に、両者間には所定の大きさの空気層が形成されることとなり、当該空気層によって、信号伝送におけるインピーダンスの整合が行われるようになっている。そのときのインピーダンス整合は、上述したインピーダンス整合部３１ｃ及びケーブル収容溝１３ｂ６を形成している凹部の大きさ、深さ及び形状を、信号伝送の条件に合わせて適宜に調整することで行われる。
【００７５】
このような構成を有する第２の実施形態においても、上述した第１の実施形態と同様な作用・効果が得られる。
【００７６】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００７７】
例えば、上述した実施形態においては、垂直嵌合型の電気コネクタに本発明を適用したものであるが、水平嵌合型の電気コネクタに対しても同様に適用することができる。
【００７８】
さらに、本発明は、上述した実施形態のような単芯の同軸ケーブル用コネクタに限定されることはなく、多極状に配置された同軸ケーブル用コネクタや、同軸ケーブルと絶縁ケーブルとが複数混合したタイプの電気コネクタ等についても同様に適用することが可能である。
【産業上の利用可能性】
【００７９】
以上のように本実施形態は、各種電気機器に使用される多種多様な電気コネクタに対して広く適用することが可能である。
【符号の説明】
【００８０】
１０  プラグコネクタ
１１  絶縁ハウジング
１１ａ  絶縁本体部
１１ｂ  絶縁挿入部
１１ｂ１  相手コンタクト挿入穴
１１ｃ  ケーブル受け部
１２  信号コンタクト部材
１２ａ  コンタクト本体板
１２ａ１  監視穴（接続確認穴）
１２ｂ  ケーブル接続部
１２ｂ１  ケーブル挿入片
１２ｂ２  段差係止部（ケーブル突当部）
１２ｃ  相手コンタクト接続部
１３  シールドシェル（グランドコンタクト部材）
１３ａ  シェル本体部
１３ａ１  シェル挿入部
１３ｂ  シェル蓋部（グランド蓋部）
１３ｂ１  繋ぎ部材
１３ｂ２  前方カバー部
１３ｂ３  第１固定保持板
１３ｂ４  第２固定保持板
１３ｂ５  ケーブル収容溝
１３ｃ  ケ一ブル支持部
１３ｃ１  ケーブル案内部
１３ｄ  ケーブル破断部
１３ｄ１  段差係止部（ケーブル突当部）
２０  リセプタクルコネクタ（相手コネクタ）
２１  絶縁ハウジング
２２  信号コンタクト部材
２２ａ  コンタクト接続部
２２ｂ  基板接続脚部
２３  グランドコンタクト部材
２３ａ  グランド接続脚部
ＳＣ  同軸ケーブル
ＳＣａ  ケーブル中心導体（信号線）
ＳＣｂ  ケーブル外部導体（シールド線）
ＳＣｃ  ケーブル誘電体
ＳＣｄ  外周被覆材
３１  絶縁ハウジング
３１ａ  絶縁本体部
３１ａ１  本体前端面
３１ｃ  インピーダンス整合部
３２  信号コンタクト部材
３２ｂ１  ケーブル挿入片
【図１】
2016025019.tif 000003
【図２】
2016025019.tif 000004
【図３】
2016025019.tif 000005
【図４】
2016025019.tif 000006
【図５】
2016025019.tif 000007
【図６】
2016025019.tif 000008
【図７】
2016025019.tif 000009
【図８】
2016025019.tif 000010
【図９】
2016025019.tif 000011
【図１０】
2016025019.tif 000012
【図１１】
2016025019.tif 000013
【図１２】
2016025019.tif 000014
【図１３】
2016025019.tif 000015
【図１４】
2016025019.tif 000016
【図１５】
2016025019.tif 000017
【図１６】
2016025019.tif 000018
【図１７】
2016025019.tif 000019
【図１８】
2016025019.tif 000020
【図１９】
2016025019.tif 000021
【図２０】
2016025019.tif 000022
【図２１】
2016025019.tif 000023
【図２２】
2016025019.tif 000024
【図２３】
2016025019.tif 000025